(57)【要約】【課題】完全な立体構造の具現を可能にし、設定されたデザインに対する多様な感じの付与を可能にし、設定されたデザイン自体の交替を可能にする立体装飾品及びその組立セットを提供する。【解決手段】本発明による立体装飾品は、フレームと、前記フレームの一方の側面及び他方の側面に各々付着された一対のキャラクターエムボシングステッカーと、を含む。また、本発明による立体装飾品組立セットは、複数のフレームを提供するためのフレーム提供セットと；前記フレーム各々の一方の側面及び他方の側面に付着される複数のキャラクターエムボシングステッカー及び前記複数のキャラクターエムボシングステッカーにデザインされたキャラクターの飾りのために前記複数のキャラクターエムボシングステッカーに付着される複数のコーディネーションエムボシングステッカーを提供するエムボシングステッカー提供セットと；を含む。【選択図】図２
2011235624.tif 000002
【特許請求の範囲】
【請求項１】
フレームと、
前記フレームの一方の側面及び他方の側面に各々付着された一対のキャラクターエムボシングステッカーと、
を含むことを特徴とする立体装飾品。
【請求項２】
前記一対のキャラクターエムボシングステッカーは、キャラクターの正面形状がデザインされた正面キャラクターエムボシングステッカーと、前記キャラクターの背面形状または前記キャラクターの正面形状と対称である正面形状がデザインされた背面キャラクターエムボシングステッカーとで構成されることを特徴とする請求項１に記載の立体装飾品。
【請求項３】
前記フレームは、被装飾品と連結ストラップを介して連結されることができるように連結ストラップ結合孔を含むことを特徴とする請求項１に記載の立体装飾品。
【請求項４】
前記フレームは、前記一対のキャラクターエムボシングステッカーの付着のために備えられたキャラクターフレームと、前記キャラクターフレームの下端に連結された支持フレームとを含み、前記キャラクターフレームが前記支持フレームに対して直立することができるように、前記キャラクターフレームと前記支持フレームの連結部位には曲げ線が形成されることを特徴とする請求項１に記載の立体装飾品。
【請求項５】
前記一対のキャラクターエムボシングステッカーにデザインされたキャラクターの飾りのために、前記一対のキャラクターエムボシングステッカーには、少なくとも１つのコーディネーションエムボシングステッカーが付着されることを特徴とする請求項１に記載の立体装飾品。
【請求項６】
前記フレームは、透明であることを特徴とする請求項１乃至５のいずれかに記載の立体装飾品。
【請求項７】
複数のフレームを提供するためのフレーム提供セットと、
前記フレーム各々の一方の側面及び他方の側面に付着される複数のキャラクターエムボシングステッカー及び前記複数のキャラクターエムボシングステッカーにデザインされたキャラクターの飾りのために前記複数のキャラクターエムボシングステッカーに付着される複数のコーディネーションエムボシングステッカーを提供するエムボシングステッカー提供セットと、
を含むことを特徴とする立体装飾品組立セット。
【請求項８】
前記フレーム提供セットは、
透明材質または不透明材質のフィルムと、
前記フレーム各々の輪郭と同一の形態で前記フィルムに形成された複数の切り取り線と、
を含むことを特徴とする請求項７に記載の立体装飾品組立セット。
【請求項９】
前記切り取り線は、被装飾品と連結ストラップを介して連結されることができる形態の連結ストラップ結合用フレーム及び被装飾品の表面で直立することができる形態の直立用フレームのうち少なくとも一種のフレームが提供されることができるように形成されることを特徴とする請求項８に記載の立体装飾品組立セット。
【請求項１０】
前記直立用フレームは、前記キャラクターエムボシングステッカーの付着のために備えられたキャラクターフレームと、前記キャラクターフレームと部分的に接する支持フレームとを含み、前記キャラクターフレームと支持フレームが接する部位のうち一部には曲げ線が形成され、残りの部位には切り取り線が形成されることを特徴とする請求項９に記載の立体装飾品組立セット。
【請求項１１】
前記複数のキャラクターエムボシングステッカーは、
互いに異なるようにデザインされたキャラクターの正面形状を各々含み、前記フレーム各々の一方の側面に付着される複数の正面キャラクターエムボシングステッカーと、
前記複数の正面キャラクターエムボシングステッカーの輪郭及び正面形状と対称的な輪郭及び正面形状を各々有し、前記フレーム各々の他方の側面に付着される複数の対称キャラクターエムボシングステッカーと、
前記複数の正面キャラクターエムボシングステッカーの輪郭と対称的な輪郭を各々有し、前記複数の正面キャラクターエムボシングステッカーにデザインされたキャラクターの背面形状を各々含み、前記フレーム各々の他方の側面に付着される複数の背面キャラクターエムボシングステッカーと、
を含むことを特徴とする請求項７に記載の立体装飾品組立セット。
【発明の詳細な説明】
【技術分野】
【０００１】
本発明は、立体装飾品に関し、より詳細には、エムボシングステッカーを利用して製造される立体装飾品に関する。また、本発明は、前記立体装飾品の組立セットに関する。
【背景技術】
【０００２】
一般的に、ステッカーは、かばん、ダイアリーノート、携帯電話、学用品、キーホルダなどのような多様な対象物の飾りのために前記対象物に付着される。初期に、ステッカーは、２次元平面構造で製造されたが、近年、消費者の多様な欲求を満たすために、３次元立体構造でも製造されている。
【０００３】
３次元立体構造を有するエムボシングステッカーは、一般的に、図１に示された構造を有する。図１は、そのエムボシングステッカーの構造を示す断面図である。具体的に、エムボシングステッカー１０は、粘着剤が塗布された粘着フィルム２０と、粘着フィルム２０の上面に形成され、立体感を付与する発泡層３０と、発泡層３０の外表面を覆う印刷層４０とを含む。また、エムボシングステッカー１０は、粘着フィルム２０に塗布された粘着剤を保護するために、離型フィルム２に付着されている。
【０００４】
粘着フィルム２０は、主にＰＶＣなどのような不透明材質よりなり、離型フィルム２は、主にＰＥＴなどのような透明材質よりなる。印刷層４０は、動物、果物、人などのような多様なキャラクターにデザインされる。ユーザは、エムボシングステッカー１０を離型フィルム２から分離した後、自分が希望する対象に付着させることによって、エムボシングステッカー１０を使用するようになる。
【０００５】
しかし、粘着フィルム２０を基準にしてエムボシングステッカー１０の一側は、立体構造を有するが、反対側は平面構造を有するので、エムボシングステッカー１０は、部分的な立体構造の装飾品を具現することができるだけで、完全な立体構造の装飾品を具現することができない。
【０００６】
また、エムボシングステッカー１０は、かばん、ダイアリーノート、携帯電話、学用品、キーホルダなどの対象物に付着する形態だけで使用されることができるので、前記対象物を飾る方法において限界を有する。しかも、エムボシングステッカー１０は、机や棚などに立設することができないので、飾ろうとする対象物においても限界を有する。
【０００７】
一方、エムボシングステッカー１０以外に、人形などが立体装飾品として使用されることがある。人形などのような立体装飾品は、完全な立体構造を有し、飾ろうとする対象物と所定形態のストラップを介して連結されるか、または、机や棚などに立設することができるので、エムボシングステッカー１０が有する限界を克服することができる。
【０００８】
しかし、前記人形などの立体装飾品は、製造されたデザインのまま使用されることができるたけで、別途のコーディネーション用品を利用してユーザによって飾られないので、前記人形などの立体装飾品によれば、ユーザが１つの立体装飾品に多様な感じを付与することができないという問題がある。
【０００９】
また、前記人形などの立体装飾品は、デザインの事後的な変更を伴うことができないので、ユーザが使用中の立体装飾品のデザインに嫌気を感じれば、新しいデザインの立体装飾品を購買しなければならないという問題がある。
【発明の概要】
【発明が解決しようとする課題】
【００１０】
本発明は、前述のような問題点を解決するためのものであって、その目的は、完全な立体構造の具現を可能にし、設定されたデザインに対する多様な感じの付与を可能にし、設定されたデザイン自体の交替を可能にする立体装飾品を提供することにある。また、本発明の他の目的は、前記立体装飾品の組立セットを提供することにある。
【課題を解決するための手段】
【００１１】
上記目的を達成するために、本発明の一態様による立体装飾品は、フレームと；前記フレームの一方の側面及び他方の側面に各々付着された一対のキャラクターエムボシングステッカーと；を含むことを特徴とする。
【００１２】
好ましくは、前記一対のキャラクターエムボシングステッカーは、キャラクターの正面形状がデザインされた正面キャラクターエムボシングステッカーと、前記キャラクターの背面形状または前記キャラクターの正面形状と対称である正面形状がデザインされた背面キャラクターエムボシングステッカーとで構成される。
【００１３】
好ましくは、前記フレームは、被装飾品と連結ストラップを介して連結されることができるように、連結ストラップ結合孔を含む。これに対する代案として、前記フレームは、前記一対のキャラクターエムボシングステッカーの付着のために備えられるキャラクターフレームと、前記キャラクターフレームの下端に連結された支持フレームとを含むことができる。この際、前記キャラクターフレームが前記支持フレームに対して直立することができるように、前記キャラクターフレームと前記支持フレームの連結部位には、曲げ線が形成される。
【００１４】
好ましくは、前記一対のキャラクターエムボシングステッカーにデザインされたキャラクターの飾りのために、前記一対のキャラクターエムボシングステッカーには、少なくとも１つのコーディネーションエムボシングステッカーが付着される。
【００１５】
好ましくは、前記フレームは、透明である。
【００１６】
本発明の他の態様による立体装飾品組立セットは、複数のフレームを提供するためのフレーム提供セットと；前記フレーム各々の一方の側面及び他方の側面に付着される複数のキャラクターエムボシングステッカー及び前記複数のキャラクターエムボシングステッカーにデザインされたキャラクターの飾りのために、前記複数のキャラクターエムボシングステッカーに付着される複数のコーディネーションエムボシングステッカーを提供するエムボシングステッカー提供セットと；を含むことを特徴とする。
【００１７】
好ましくは、前記フレーム提供セットは、透明材質または不透明材質のフィルムと；前記フレーム各々の輪郭と同一の形態で前記フィルムに形成された複数の切り取り線と；を含む。この際、前記切り取り線は、被装飾品と連結ストラップを介して連結されることができる形態の連結ストラップ結合用フレーム及び被装飾品の表面で直立することができる形態の直立用フレームのうち少なくとも一種のフレームが提供されることができるように形成される。また、前記直立用フレームは、前記キャラクターエムボシングステッカーの付着のために備えられたキャラクターフレームと、前記キャラクターフレームと部分的に接する支持フレームとを含み、前記キャラクターフレームと支持フレームが接する部位のうち一部には曲げ線が形成され、残りの部位には切り取り線が形成される。
【００１８】
好ましくは、前記複数のキャラクターエムボシングステッカーは、互いに異なるようにデザインされたキャラクターの正面形状を各々含み、前記フレーム各々の一方の側面に付着される複数の正面キャラクターエムボシングステッカーと；前記複数の正面キャラクターエムボシングステッカーの輪郭及び正面形状と対称的な輪郭及び正面形状を各々有し、前記フレーム各々の他方の側面に付着される複数の対称キャラクターエムボシングステッカーと；前記複数の正面キャラクターエムボシングステッカーの輪郭と対称的な輪郭を各々有し、前記複数の正面キャラクターエムボシングステッカーにデザインされたキャラクターの背面形状を各々含み、前記フレーム各々の他方の側面に付着される複数の背面キャラクターエムボシングステッカーと；を含む。
【発明の効果】
【００１９】
本発明によれば、フレームの両方の側面に共にエムボシングステッカーが付着されるので、従来のエムボシングステッカーに比べて立体感が向上する。
【００２０】
また、本発明によれば、フレームとキャラクターエムボシングステッカーとコーディネーションエムボシングステッカーの多様な組み合わせが可能なので、ユーザが感じる退屈や倦怠感が従来に比べて減少する。
【図面の簡単な説明】
【００２１】
【図１】エムボシングステッカーの一般的な構造を示す断面図である。
【図２】本発明による立体装飾品を示す分解斜視図である。
【図３】図２に示されたフレームの変形例を示す斜視図である。
【図４】本発明による立体装飾品組立セットのフレーム提供セットを示す平面図である。
【図５】本発明による立体装飾品組立セットのエムボシングステッカー提供セットを示す平面図である。
【発明を実施するための形態】
【００２２】
以下、図面を参照して本発明による立体装飾品及びその組立セットの好ましい実施例を詳細に説明する。以下に使用された用語や単語は、通常的または辞書的な意味に限定して解釈すべきものではなく、発明者は、自分の発明を最善の方法で説明するために用語の概念を適切に定義することができるという原則に即して本発明の技術的思想に符合する意味と概念として解釈すべきである。
【００２３】
図２に示されたように、本発明による立体装飾品１００は、フレーム１１０と、正面キャラクターエムボシングステッカー１２０と、背面キャラクターエムボシングステッカー１３０とを含む。
【００２４】
前記フレーム１１０は、不透明な材質のフィルムまたはＰＥＴ、ＰＰ、ＰＶＣなどのような透明な材質のフィルムよりなり、前記キャラクターエムボシングステッカー１３０の輪郭と類似の輪郭を有する。また、前記フレーム１１０は、携帯電話、キーホルダ、かばん、ダイアリーノート、学用品などのような被装飾品（図示せず）と連結ストラップ（図示せず）を介して連結されることができるように、連結ストラップ結合孔１１２を含む。なお、フレーム１１０の輪郭は、図２に示されたものに限定されず、キャラクターによって多様な輪郭で形成されることができる。
【００２５】
前記正面及び背面キャラクターエムボシングステッカー１２０、１３０は、３次元立体構造を有するステッカーであって、被付着物に脱着可能に付着されることができるステッカーである。一例として、前記正面及び背面キャラクターエムボシングステッカー１２０、１３０は、立体感を付与する発泡層と、多様なキャラクターにデザインされ、前記発泡層の外表面に形成される印刷層と、前記発泡層の下面に形成される粘着層とを含むことができる。前記粘着層によって前記正面及び背面キャラクターエムボシングステッカー１２０、１３０は、フレーム１１０に付着されるか、またはフレーム１１０から分離されることができる。
【００２６】
正面キャラクターエムボシングステッカー１２０は、フレーム１１０の正面に付着される。また、正面キャラクターエムボシングステッカー１２０の印刷層には、キャラクターの正面形状がデザインされる。背面キャラクターエムボシングステッカー１３０は、フレーム１１０の背面に付着される。また、背面キャラクターエムボシングステッカー１３０の印刷層には、キャラクターの背面形状がデザインされる。
【００２７】
フレーム１１０の正面及び背面に共にキャラクターエムボシングステッカーが付着されることによって、立体装飾品１００の立体感が向上することができる。また、正面キャラクターエムボシングステッカー１２０にキャラクターの正面形状がデザインされ、背面キャラクターエムボシングステッカー１３０にキャラクターの背面形状がデザインされることによって、立体装飾品１００の臨場感が向上することができる。一方、前述の説明とは異なって、前記背面キャラクターエムボシングステッカー１３０の印刷層には、前記キャラクターの正面形状と対称である正面形状が印刷されてもよい。
【００２８】
前述したフレームは、連結ストラップ結合孔１１２を備えた連結ストラップ結合用フレーム１１０で構成されたが、図３に示されたように、これに対する代案として、前記フレームは、直立用フレーム１５０で構成されることができる。前記直立用フレーム１５０は、机、棚などのような被装飾品（図示せず）の表面に立設されることができるフレームであって、キャラクターフレーム１５２及び支持フレーム１５４を含む。
【００２９】
キャラクターフレーム１５２の正面及び背面には、正面キャラクターエムボシングステッカー１２０及び背面キャラクターエムボシングステッカー１３０が各々付着される。支持フレーム１５４は、キャラクターフレーム１５２の下端に連結され、机、棚などの被装飾品の表面と面接する下面を備える。キャラクターフレーム１５２と支持フレーム１５４の連結部位には、キャラクターフレーム１５２が支持フレーム１５４に対して直立することができるように曲げ線１５６が形成される。
【００３０】
一方、前記立体装飾品１００は、図２に示されたように、コーディネーションエムボシングステッカー１６０を含むことが好ましい。コーディネーションエムボシングステッカー１６０は、正面及び背面キャラクターエムボシングステッカー１２０、１３０にデザインされたキャラクターの飾りのためのものである。コーディネーションエムボシングステッカー１６０は、３次元立体構造を有するステッカーであって、被付着物に脱着可能に付着されることができるステッカーである。
【００３１】
一例として、コーディネーションエムボシングステッカー１６０は、正面及び背面キャラクターエムボシングステッカー１２０、１３０と同様に、発泡層と、印刷層及び粘着層を含むことができる。前記粘着層によってコーディネーションエムボシングステッカー１６０は、正面及び背面キャラクターエムボシングステッカー１２０、１３０に付着されるか、または正面及び背面キャラクターエムボシングステッカー１２０、１３０から分離されることができる。
【００３２】
図２には、ズボン、Ｔシャツ、ベルト形状がすべて印刷されたコーディネーションエムボシングステッカー１６０と、星形状ヘアピンが印刷されたコーディネーションエムボシングステッカー１６０のみ図示されているが、コーディネーションエムボシングステッカー１６０の印刷層には、これと異なる様々な形態の装飾品、例えば各種衣類、各種ストッキング、各種履物、各種ヘアバンド、各種帽子、各種手袋、各種ネックレス、各種指輪、各種腕輪、各種時計、各種めがね、各種ハンドバッグなどのデザインが印刷されることができる。
【００３３】
前記立体装飾品１００によれば、フレーム１１０、１５０に付着されるキャラクターエムボシングステッカー１２０、１３０をユーザが随時に交替することができ、コーディネーションエムボシングステッカー１６０の交替により、ユーザがフレーム１１０、１５０に付着されたキャラクターエムボシングステッカー１２０、１３０に多様な感じを付与することができる。
【００３４】
以下、前述したような立体装飾品１００の組立のために必要な組立セットを説明する。
【００３５】
本発明による立体装飾品組立セットは、フレーム提供セット２００及びエムボシングステッカー提供セット３００を含む。
【００３６】
フレーム提供セット２００は、多様な輪郭または同一輪郭の連結ストラップ結合用フレーム１１０を提供するか、多様な輪郭または同一輪郭の直立用フレーム１５０を提供するか、または、これらすべてを提供するためのものであって、図４に示されたように、不透明材質またはＰＥＴ、ＰＰ、ＰＶＣなどの透明材質よりなるフィルム２１０と、前記フィルム２１０に形成された切り取り線２２０、２２２、２２４及び曲げ線１５６を含む。
【００３７】
連結ストラップ結合用フレーム１１０を提供するように形成された切り取り線は、外郭切り取り線２２０と、連結ストラップ結合孔切り取り線２２２を含む。外郭切り取り線２２０は、連結ストラップ結合用フレーム１１０の外郭と同一の形態で形成され、連結ストラップ結合孔切り取り線２２２は、連結ストラップ結合孔１１２と同一の形態で形成される。ユーザは、フィルム２１０から外郭切り取り線２２０で取り囲まれた部分を手作業で除去した後、連結ストラップ結合孔切り取り線２２２で取り囲まれた部分を手作業で除去することによって、連結ストラップ結合用フレーム１１０を得ることができる。
【００３８】
直立用フレーム１５０を提供するように形成された切り取り線は、外郭切り取り線２２０と、当接部切り取り線２２４を含む。外郭切り取り線２２０は、直立用フレーム１５０の外郭と同一の形態で形成され、当接部切り取り線２２４は、キャラクターフレーム１５２と支持フレーム１５４が接する部位のうち一部に形成される。キャラクターフレーム１５２と支持フレーム１５４が接する部位のうち残りの部位には、曲げ線１５６が形成される。ユーザは、フィルム２１０から外郭切り取り線２２０で取り囲まれた部分を手作業で除去した後、当接部切り取り線２２４が形成された部位を切開し、曲げ線１５６が形成された部位を折り曲げることによって、キャラクターフレーム１５２と支持フレーム１５４を含む直立用フレーム１５０を得ることができる。
【００３９】
一方、図４には、１つの連結ストラップ結合用フレーム１１０を得ることができる切り取り線と、１つの直立用フレーム１５０を得ることができる切り取り線のみ図示されているが、前記フィルム２１０には、多様な輪郭の連結ストラップ結合用フレーム１１０を得すことができる切り取り線が形成されるか、多様な輪郭の直立用フレーム１５０を得すことができる切り取り線及び曲げ線が形成されるか、または、これらすべてが形成される。
【００４０】
エムボシングステッカー提供セット３００は、離型フィルム３１０と、前記離型フィルム３１０に付着された複数のキャラクターエムボシングステッカー１２０、１３０、１４０と、複数のコーディネーションエムボシングステッカー１６０とを含む。
【００４１】
複数のキャラクターエムボシングステッカー１２０、１３０、１４０は、フレーム提供セット２００により提供される連結ストラップ結合用フレーム１１０の一方の側面及び他方の側面、またはフレーム提供セット２００により提供される直立用フレーム１５０のキャラクターフレーム１５２の一方の側面及び他方の側面に付着されるためのものであって、正面キャラクターエムボシングステッカー１２０を含む。また、複数のキャラクターエムボシングステッカー１２０、１３０、１４０は、対称キャラクターエムボシングステッカー１４０及び背面キャラクターエムボシングステッカー１３０のうち少なくとも１つを含む。
【００４２】
正面キャラクターエムボシングステッカー１２０は、キャラクターの正面形状を含み、対称キャラクターエムボシングステッカー１４０は、前記正面キャラクターエムボシングステッカー１２０の輪郭及び正面形状と対称的な輪郭及び正面形状を有し、背面キャラクターエムボシングステッカー１３０は、正面キャラクターエムボシングステッカー１２０の輪郭と対称的な輪郭及び正面キャラクターエムボシングステッカー１２０にデザインされたキャラクターの背面形状を有する。
【００４３】
図５には、正面キャラクターエムボシングステッカー１２０、対称キャラクターエムボシングステッカー１４０、背面キャラクターエムボシングステッカー１３０が各々１つずつ図示されているが、前記離型フィルム３１０には、フレーム提供セット２００が提供するフレームに対応する複数の正面キャラクターエムボシングステッカーが付着される。また、前記離型フィルム３１０には、複数の正面キャラクターエムボシングステッカーに対応する複数の対称キャラクターエムボシングステッカー及び／または複数の背面キャラクターエムボシングステッカーが付着される。
【００４４】
複数のコーディネーションエムボシングステッカー１６０は、複数のキャラクターエムボシングステッカー１２０、１３０、１４０にデザインされたキャラクターの飾りのために、前記複数のキャラクターエムボシングステッカー１２０、１３０、１４０に付着されるためのものである。図５には、コーディネーションエムボシングステッカー１６０の６つの例が図示されているが、離型フィルム３１０には、これと異なる多様な形態の装飾品、例えば各種衣類、各種ストッキング、各種履き物、各種ヘアバンド、各種帽子、各種手袋、各種ネックレス、各種指輪、各種腕輪、各種時計、各種めがね、各種ハンドバッグなどのデザインを含むコーディネーションエムボシングステッカー１６０が付着される。
【００４５】
以上、本発明は、限定された実施例と図面によって説明されたが、本発明は、これらに限定されず、本発明の属する技術分野における通常の知識を有する者によって本発明の技術思想と下記に記載する特許請求範囲の均等範囲内で多様に修正及び変形されることができることは勿論である。
【符号の説明】
【００４６】
１００  立体装飾品
１１０  連結ストラップ連結用フレーム
１２０  正面キャラクターエムボシングステッカー
１３０  背面キャラクターエムボシングステッカー
１４０  対称キャラクターエムボシングステッカー
１５０  直立用フレーム
１６０  コーディネーションエムボシングステッカー
２００  フレーム提供セット
２１０  フィルム
２２０  外郭切り取り線
２２２  連結ストラップ結合孔切り取り線
２２４  当接部切り取り線
３００  エムボシングステッカー提供セット
３１０  離型フィルム
【図１】
2011235624.tif 000003
【図２】
2011235624.tif 000004
【図３】
2011235624.tif 000005
【図４】
2011235624.tif 000006
【図５】
2011235624.tif 000007